(57)【要約】【課題】運用コストを抑え、且つ運用効率の向上を図ることができる。【解決手段】紙幣収納カセット２は、紙幣処理ユニット１本体に着脱自在である。紙幣収納カセット２は、装着された紙幣処理ユニット１本体での使用にかかるデータをメモリ２６３ａに記憶する。また、紙幣収納カセット２は、紙幣処理ユニット１本体に装着された状態であるときに、紙幣処理ユニット１本体が形成する無線通信エリア内に位置する無線通信部２６４と、無線通信部２６４における紙幣処理ユニット１本体との無線通信に基づいて、メモリ２６３ａに対するデータの書き換えを行う制御部２６３と、を備えている。【選択図】図６
2015228108.tif 000002
【特許請求の範囲】
【請求項１】
紙幣処理ユニット本体に着脱自在である紙幣収納カセットにおいて、
装着された前記紙幣処理ユニット本体での使用にかかるデータを記憶する記憶素子と、
前記紙幣処理ユニット本体に装着された状態であるときに、前記紙幣処理ユニット本体が形成する無線通信エリア内に位置する無線通信部と、
前記無線通信部における前記紙幣処理ユニット本体との無線通信に基づいて、前記記憶素子に対するデータの書き換えを行う制御部と、を備えている紙幣収納カセット。
【請求項２】
前記紙幣処理ユニット本体が形成する前記無線通信エリア内での電磁結合により、前記記憶素子、前記無線通信部、および前記制御部を動作させる動作電源を得る電源部を備えた請求項１に記載の紙幣収納カセット。
【請求項３】
紙幣を底板の上に堆積して収納する紙幣収納空間の側面には、前記紙幣処理ユニット本体側に設けた光学センサの光路になる開口部が形成され、前記紙幣収納空間が収納している紙幣で満たされた満状態であるかどうかが前記光学センサによって検知される、請求項１、または２に記載の紙幣収納カセット。
【請求項４】
前記底板は、前記紙幣収納空間に堆積している紙幣の収納枚数に応じて、紙幣の堆積方向にスライドする、請求項３に記載の紙幣収納カセット。
【請求項５】
前記紙幣収納空間の上方に位置し、この紙幣収納空間に連通する開口面が形成された紙幣受け部材と、
前記紙幣収納空間の反対側から、前記紙幣受け部材に貯留されている紙幣を前記開口面を通して前記紙幣収納空間に押し込む押し込み部材と、を備え、
前記押し込み部材は、前記紙幣処理ユニット本体側に設けられた駆動源によって駆動される、請求項３、または４に記載の紙幣収納カセット。
【請求項６】
前記紙幣処理ユニット本体側から搬送されてきた紙幣を前記紙幣受け部材に送り込む羽根車を備えている請求項５に記載の紙幣収納カセット。
【請求項７】
前記紙幣受け部材は、送り込まれる紙幣の先端側に壁面を設けた形状である、請求項５、または６に記載の紙幣収納カセット。
【請求項８】
本体に対して着脱自在である紙幣収納カセットを備える紙幣処理ユニットにおいて、
前記紙幣収納カセットは、
装着された前記紙幣処理ユニット本体での使用にかかるデータを記憶する記憶素子と、
前記紙幣処理ユニット本体に装着された状態であるときに、前記紙幣処理ユニット本体が形成する無線通信エリア内に位置する無線通信部と、
前記無線通信部における前記紙幣処理ユニット本体との無線通信に基づいて、前記記憶素子に対するデータの書き換えを行う制御部と、を備える、
紙幣処理ユニット。
【発明の詳細な説明】
【技術分野】
【０００１】
この発明は、投入紙幣を収納する紙幣収納カセット、および、この紙幣収納カセットを用いる紙幣処理ユニットに関する。
【背景技術】
【０００２】
従来、特に海外向けの自動券売機に用いられている紙幣処理ユニットには、紙幣を循環利用しないものがある。ここでは、利用者が乗車券等を購入するときに投入した紙幣を、他の利用者に対して釣り銭として利用することを紙幣の循環利用という。
【０００３】
紙幣を循環利用しない自動券売機（例えば、非特許文献１参照）は、利用者が投入した紙幣を、金種で分けることなく紙幣処理ユニット本体に装着されている紙幣収納カセットに収納する。このため、紙幣を循環利用しない自動券売機の多くは、紙幣処理ユニットに紙幣収納カセットを金種別に装着しない構成であった。この構成により、紙幣処理ユニットは、紙幣収納カセットを装着するための空間を小さくでき、自動券売機本体の小型化が図れる。
【先行技術文献】
【非特許文献】
【０００４】
【非特許文献１】http://www.t-ns.co.jp/ms/br.html
【発明の概要】
【発明が解決しようとする課題】
【０００５】
しかしながら、紙幣収納カセットには、その紙幣収納カセットを識別する識別番号や、装着した紙幣処理ユニットでの使用にかかるデータ（例えば、その時点で収納している紙幣の金種別の枚数や、その時点で収納している紙幣の合計金額）を記憶させるメモリが取り付けられている。この紙幣処理ユニットでの使用にかかるデータは、紙幣収納カセットに紙幣を収納したとき等に書き換える（更新する）必要がある。
【０００６】
このため、従来の紙幣処理ユニットは、紙幣処理ユニット本体と、装着された紙幣収納カセットが備えるメモリと、を電気的に接続する構成であった。具体的には、紙幣処理ユニット本体側、および紙幣収納カセットに一対のコネクタを設け、紙幣収納カセットが装着されたときに、この一対のコネクタが嵌合し、紙幣処理ユニット本体と装着された紙幣収納カセットが備えるメモリと、を電気的に接続する構成であった。
【０００７】
一方で、紙幣収納カセットは、紙幣処理ユニット本体への装着や、紙幣処理ユニット本体からの取り外しが繰り返し行われる。例えば、紙幣処理ユニット本体に装着している紙幣収納カセットは、紙幣収納空間が収納した紙幣で一杯（満状態）になると、紙幣処理ユニット本体に装着している紙幣収納カセットを交換する。また、防犯上の観点から、自動券売機の運用を停止する深夜等の時間帯に、紙幣収納カセットを紙幣処理ユニット本体から取り外すこともある。このため、紙幣処理ユニット本体と装着された紙幣収納カセットが備えるメモリとを電気的に接続する一対のコネクタが劣化しやすい。
【０００８】
また、紙幣処理ユニット本体側のコネクタが劣化すると、その交換時においては、自動券売機の運用を停止することになるので、自動券売機の運用効率を低下させる。
【０００９】
この発明の目的は、運用コストを抑え、且つ運用効率の向上を図ることができる、紙幣収納カセット、および紙幣処理ユニットを提供する。
【課題を解決するための手段】
【００１０】
この発明の紙幣収納カセットは、上記目的を達するために、以下のように構成している。
【００１１】
この発明にかかる紙幣収納カセットは、紙幣処理ユニット本体に対して着脱自在である。紙幣処理ユニットは、自動券売機等の紙幣を取り扱う機器に用いられる。
【００１２】
記憶素子は、装着された紙幣処理ユニット本体での使用にかかるデータを記憶する。紙幣処理ユニット本体での使用にかかるデータとしては、例えば、その時点で収納している紙幣の金種別の枚数や、その時点で収納している紙幣の合計金額である。記憶素子は、例えば不揮発性のメモリである。
【００１３】
無線通信部は、紙幣処理ユニット本体に装着された状態であるときに、紙幣処理ユニット本体が形成する無線通信エリア内に位置する。すなわち、紙幣処理ユニット本体に装着された紙幣収納カセットは、この紙幣処理ユニット本体との間で、無線通信が行える。
【００１４】
制御部は、無線通信部における紙幣処理ユニット本体との無線通信に基づいて、記憶素子に対するデータの書き換えを行う。
【００１５】
このように、紙幣収納カセットは、記憶素子に対する、紙幣処理ユニット本体での使用にかかるデータの書き換えを、紙幣処理ユニット本との無線通信で行う。したがって、紙幣収納カセットは、紙幣処理ユニット本体とコネクタで電気的に接続しない構成にできる。これにより、紙幣収納カセットと、紙幣処理ユニット本体とを電気的に接続するコネクタの劣化や、これにともなう運用効率の低下を抑えられる。また、コネクタの劣化にともなう交換も不要になるので、運用コストを低減できる。
【００１６】
また、紙幣収納カセットは、紙幣処理ユニット本体が形成する無線通信エリア内での電磁結合により、記憶素子、無線通信部、および制御部を動作させる動作電源を得る電源部を備える構成とするのが好ましい。この電源部は、非接触式ＩＣカードや、電池レス無線タグ等において利用されている技術である。このように構成すれば、記憶素子、無線通信部、および制御部を動作させる電源部を、紙幣収納カセットに設ける必要がない。
【００１７】
また、紙幣収納カセットは、紙幣を底板の上に堆積して収納する紙幣収納空間の側面に、紙幣処理ユニット本体側に設けた光学センサの光路になる開口部を形成し、紙幣収納空間が収納している紙幣で満たされた満状態であるかどうかを光学センサによって検知する構成にしてもよい。
【００１８】
この場合には、例えば、紙幣収納空間に堆積している紙幣の収納枚数に応じて、底板が紙幣の堆積方向にスライドする構成とし、この底板の位置が、紙幣収納空間が収納している紙幣で満たされた満状態である位置にあるかどうかを光学センサによって検知する構成にすればよい。ここで言う満状態とは、紙幣収納空間に収納している紙幣の収納量が、紙幣収納空間における紙幣の最大収納量の８〜９割程度を超える状態であり、紙幣収納空間に対して若干の紙幣を追加収納できる状態を含む。すなわち、ここで言う満状態とは、紙幣収納空間に対して紙幣を追加収納できない状態のみを指しているわけではない。
【００１９】
また、紙幣収納空間の上方に位置し、この紙幣収納空間に連通する開口面が形成された紙幣受け部材と、紙幣収納空間の反対側から、紙幣受け部材に貯留されている紙幣を開口面を通して紙幣収納空間に押し込む押し込み部材と、を備え、押し込み部材が、紙幣処理ユニット本体側に設けられた駆動源によって駆動される、構成としてもよい。
【００２０】
この場合、紙幣処理ユニット本体側から搬送されてきた紙幣の後端を紙幣受け部材側に押し出す羽根車を備えるのが好ましい。これにより、紙幣処理ユニット本体側から搬送されてきた紙幣を紙幣受け部材に適正に送り込むことができる。
【００２１】
さらに、紙幣受け部材は、送り込まれる紙幣の先端側を、壁面形状にするのがより好ましい。
【００２２】
また、この発明にかかる紙幣処理ユニットは、本体に対して着脱自在である紙幣収納カセットを備え、この紙幣収納カセットは、装着された紙幣処理ユニット本体での使用にかかるデータを記憶する記憶素子と、紙幣処理ユニット本体に装着された状態であるときに、紙幣処理ユニット本体が形成する無線通信エリア内に位置する無線通信部と、無線通信部における紙幣処理ユニット本体との無線通信に基づいて、記憶素子に対するデータの書き換えを行う制御部と、を備える。
【００２３】
この構成によれば、上述したように、紙幣収納カセットと、紙幣処理ユニット本体とを電気的に接続するコネクタの劣化や、これにともなう運用効率の低下を抑えられる。
【発明の効果】
【００２４】
この発明によれば、紙幣収納カセットと、紙幣処理ユニット本体とを電気的に接続するコネクタの劣化や、これにともなう運用効率の低下を抑えられる。
【図面の簡単な説明】
【００２５】
【図１】紙幣処理ユニットの主要部の構成を示すブロック図である。
【図２】紙幣処理ユニットの内部構造を示す概略図である。
【図３】紙幣収納カセットの内部構造を示す概略図である。
【図４】紙幣受け部を示す概略図である。
【図５】押込部材の変位を説明する図である。
【図６】無線通信媒体の主要部の構成を示す図である。
【図７】メモリに記憶する紙幣収納データを示す図である。
【発明を実施するための形態】
【００２６】
以下、この発明の実施形態について説明する。
【００２７】
図１は、この発明の実施形態にかかる紙幣処理ユニットの主要部の構成を示すブロック図である。図２は、この紙幣処理ユニットの内部構造を示す概略図である。紙幣処理ユニット１は、制御部１１と、紙幣搬送部１２と、紙幣識別部１３と、上位入出力部１４と、紙幣押込部１５と、満状態検知部１６と、無線通信部１７と、を備えている。この紙幣処理ユニット１は、例えば自動券売機（不図示）に用いられる。自動券売機が、この紙幣処理ユニット１の上位装置である。紙幣処理ユニット１は、本体に対して着脱自在の紙幣収納カセット２を備える。図２では、この紙幣収納カセット２をハッチングで示している。
【００２８】
制御部１１は、紙幣処理ユニット１本体各部の動作を制御する。
【００２９】
紙幣搬送部１２は、紙幣搬送路１２ａ、１２ｂ、１２ｃに沿って紙幣を搬送する。紙幣搬送路１２ａは、紙幣投入口１２ｄと紙幣返却口１２ｅを結ぶ。紙幣投入口１２ｄ、および紙幣返却口１２ｅは、紙幣処理ユニット１本体正面側に位置しており、図２に示すように紙幣搬送路１２ａは、紙幣処理ユニット１本体内部でＵターンさせた搬送路である。紙幣搬送路１２ｂは、図２に示す分岐点Ａにおいて、紙幣搬送路１２ａから分岐した搬送路である。この紙幣搬送路１２ｂは、紙幣投入口１２ｄにおいて投入された紙幣を一時的に保留する保留部として利用される。紙幣搬送路１２ｂが保留する紙幣の枚数は、１枚であるとは限らない。紙幣搬送路１２ｂは、複数枚の紙幣を重ねた状態で保留することもある。紙幣搬送路１２ｃは、図２に示す分岐点Ｂにおいて、紙幣搬送路１２ｂから分岐した搬送路である。この紙幣搬送路１２ｃの一端（分岐点Ｂと反対側の端部）は、紙幣収納カセット２につながっている。すなわち、紙幣搬送路１２ｃは、紙幣収納カセット２に収納する紙幣を搬送する搬送路である。
【００３０】
分岐点Ａ、および分岐点Ｂには、紙幣の搬送先を切り替えるフラッパ（不図示）が設けられている。紙幣搬送部１２は、フラッパを制御することにより、紙幣の搬送先を切り替える。また、紙幣搬送路１２ａ、１２ｂ、１２ｃにおける紙幣の搬送方向は、双方向である。具体的には、紙幣搬送路１２ａにおける紙幣の搬送方向は、紙幣投入口１２ｄから紙幣返却口１２ｅに向かう方向、または紙幣返却口１２ｅから紙幣投入口１２ｄに向かう方向の切り替えが行える。同様に、紙幣搬送路１２ｂにおける紙幣の搬送方向は、分岐点Ａから分岐点Ｂに向かう方向、または分岐点Ｂから分岐点Ａに向かう方向に切り替えが行える。また、紙幣搬送路１２ｃにおける紙幣の搬送方向は、分岐点Ｂから紙幣収納カセット２に向かう方向、または紙幣収納カセット２から分岐点Ｂに向かう方向に切り替えが行える。紙幣搬送部１２が、紙幣搬送路１２ａ、１２ｂ、１２ｃにおける紙幣の搬送方向を個別に切り替える。具体的には、紙幣搬送部１２は、図示していないモータの回転方向を制御することによって、紙幣搬送路１２ａ、１２ｂ、１２ｃにおける紙幣の搬送方向を切り替える。紙幣搬送路１２ａ、１２ｂ、１２ｃは、例えば紙幣を挟持して搬送する一対の搬送ローラを搬送方向に並べた構成である。紙幣搬送部１２は、図示していないモータの駆動制御によって搬送ローラを駆動する。
【００３１】
なお、紙幣搬送部１２は、紙幣搬送路１２ａ、１２ｂ、１２ｃの複数の位置にセンサを設けており、各センサの検知位置における紙幣の有無を検知している。
【００３２】
紙幣識別部１３は、紙幣搬送路１２ａに沿って搬送されている紙幣の真偽や金種を識別する。紙幣識別部１３は、紙幣の光学パターンや磁気パターン等を読み取り、真偽や金種を識別する。紙幣識別部１３については公知であるので、ここでは詳細な説明を省略する。
【００３３】
上位入出力部１４は、この紙幣処理ユニット１本体を用いた上位装置（この例では、自動券売機）との間におけるデータの入出力を行う。上位入出力部１４は、例えば、投入された紙幣の合計金額を示すデータを上位装置に入力する。また、上位入出力部１４には、上位装置からの発券完了の通知が入力される。
【００３４】
紙幣押込部１５は、紙幣収納カセット２の紙幣収納空間２１に紙幣を押し込む。満状態検知部１６は、紙幣収納カセット２の紙幣収納空間２１における紙幣の収納状態が満状態であるかどうかを検知する。無線通信部１７は、紙幣収納カセット２に取り付けた無線通信媒体２６との間で無線通信を行う。紙幣押込部１５、満状態検知部１６、および無線通信部１７の構成ついて、図３、図４を参照しながら説明する。
【００３５】
図３は、紙幣収納カセットの内部構造を示す概略図である。紙幣収納カセット２は、紙幣を収納する紙幣収納空間２１を有している。紙幣収納空間２１の上方には、この紙幣収納空間２１に収納する紙幣を一時的に溜める紙幣受け部２２が設けられている。この紙幣受け部２２が、この発明で言う紙幣受け部材に相当する。
【００３６】
紙幣搬送路１２ｃに沿って搬送されてきた紙幣は、図３に矢示するように紙幣進入口２３を通って、紙幣収納カセット２内に送り込まれ、紙幣受け部２２に達する。図３に示す羽根車２４は、回転することによって、外周面に設けた羽が、紙幣受け部２２に送り込む紙幣（紙幣搬送路１２ｃに沿って搬送されてきた紙幣）の後端を紙幣受け部２２側に押し出す。この羽根車２４の羽の材質は、ゴム等の弾性力を有するものである。羽根車２４は、紙幣処理ユニット１本体側に設けたモータ（不図示）の回転力がギアを介して伝達され、回転する構成である。すなわち、羽根車２４を回転させる駆動部（モータ）は、紙幣収納カセット２側ではなく、紙幣処理ユニット１本体側に設けている。したがって、紙幣収納カセット２は、羽根車２４を回転させる駆動部を備えておらず、また、この駆動部を動作させる電源も備えていない。
【００３７】
図４は、紙幣受け部を示す概略図である。図４（Ａ）は、紙幣受け部の側面断面図であり、図４（Ｂ）は、紙幣受け部の底面図である。紙幣受け部２２には、羽根車２４が取り付けられている側の端面に、紙幣が通過する通過口２２１を形成している。紙幣は、この通過口２２１を通って、紙幣受け部２２内に入る。また、紙幣受け部２２には、羽根車２４が取り付けられている反対側の端面を壁面２２２にしている。したがって、搬送方向における先端が通過口２２１を通過し、その後端が羽根車２４によって壁面２２２側に押し出された紙幣は、先端が壁面２２２に当たって紙幣受け部２２内に落ちる。
【００３８】
また、紙幣受け部２２には、底面に紙幣収納空間２１に連通する開口面２２３が形成されている。この開口面２２３は、取り扱う紙幣の中で最小サイズの紙幣の外形より少し小さい。したがって、紙幣受け部２２に送り込まれた紙幣は、この紙幣受け部２２内に堆積する。また、上述したように、紙幣は、先端が壁面２２２に当たって紙幣受け部２２内に落ちるので、紙幣受け部２２に堆積した紙幣について、紙幣搬送方向におけるばらつきを抑えることができる。
【００３９】
なお、紙幣受け部２２の上面は、後述する押込部材２５が通過する開口面を有する。
【００４０】
図３に戻って、紙幣受け部２２の上方には、押込部材２５が取り付けられている。この押込部材２５は、図５に示すように、紙幣処理ユニット１本体に設けた押込棒１５ａによって、上下方向に変位させられる。紙幣押込部１５が、この押込棒１５ａを上下方向に変位させる。押込棒１５ａを上下方向に変位させる駆動源は、紙幣収納カセット２側ではなく、紙幣処理ユニット１本体側に設けている。すなわち、紙幣収納カセット２は、押込棒１５ａを上下方向に変位させる駆動部を備えておらず、また、この駆動部を動作させる電源も備えていない。
【００４１】
押込部材２５は、図５（Ａ）に示す、紙幣受け部２２の上方に位置する最上位位置と、図５（Ｂ）に示す、紙幣受け部２２の底面の開口面２２３を通って紙幣収納空間２１内に位置する最下位位置との間で変位する。
【００４２】
紙幣押込部１５は、押込棒１５ａを駆動し、押込部材２５を最下位位置まで下げることで、紙幣受け部２２に溜めていた紙幣を紙幣収納空間２１に収納する。紙幣押込部１５は、通常時、押込部材２５を図５（Ａ）に示す最上位位置に位置させ、紙幣受け部２２に溜めている紙幣を紙幣収納空間２１に収納するとき、一時的に、押込部材２５を図５（Ｂ）に示す最下位位置に位置させる。
【００４３】
また、紙幣収納空間２１には、紙幣を堆積して収納するための底板２１１が取り付けられている。底板２１１は、バネ２１２によって、紙幣受け部２２側に（図３における上方に）付勢されている。底板２１１は、紙幣収納空間２１に堆積して収納している紙幣の堆積方向の高さに応じて、紙幣受け部２２の反対側に（図３における下方に）変位する。また、底板２１１には、プリズム２１３を取り付けている。
【００４４】
紙幣収納空間２１の下側の側面には、開口部２１４が形成されている。また、紙幣収納カセット２の下側の側面には、開口部２１４に対向する位置に開口部２ａが形成されている。また、紙幣処理ユニット１本体には、開口部２ａ、２１４に対向する位置に反射型の光学センサ１６ａが取り付けられている。満状態検知部１６は、この反射型の光学センサ１６ａによって、紙幣収納空間２１が満状態であるかどうかを検知する。具体的には、開口部２ａ、２１４は、光学センサ１６ａの光路として機能する。上述したように、紙幣収納空間２１に収納している紙幣（底板２１１上に堆積している紙幣）が増えるにつれて、底板２１１とともにプリズム２１３が下方に変位する。プリズム２１３が開口部２ａ、２１４に対向する位置に達すると、光学センサ１６ａから照射された光が、プリズム２１３で反射され、その反射光が光学センサ１６ａで検知される。満状態検知部１６は、光学センサ１６ａが反射光を検知すると、紙幣収納空間２１が満状態であると判定する。言い換えれば、満状態検知部１６は、光学センサ１６ａが反射光を検知していなければ、紙幣収納空間２１が満状態でないと判定する。
【００４５】
ここで言う満状態とは、紙幣収納空間２１に収納している紙幣の収納量が、紙幣収納空間２１における紙幣の最大収納量の８〜９割程度を超える状態であり、紙幣収納空間２１に対して若干の紙幣を追加収納できる状態を含む。すなわち、ここで言う満状態とは、紙幣収納空間２１に対して紙幣を追加収納できない状態のみを指しているわけではない。
【００４６】
なお、プリズム２１３は、光学センサ１６ａにおいて反射光を検知できる構成であれば、反射板で構成してもよい。
【００４７】
また、紙幣収納カセット２には、無線通信媒体２６が取り付けられている。この無線通信媒体２６は、紙幣収納カセット２を紙幣処理ユニット１本体に装着した状態であるときに、紙幣処理ユニット１本体側に設けたアンテナ１７ａによって形成される無線通信エリア内に位置する。無線通信部１７は、アンテナ１７ａの無線通信エリア内に位置する無線通信媒体２６と無線通信を行う。
【００４８】
無線通信媒体２６は、電磁結合により動作電源を取得し、動作する。図６は、無線通信媒体の主要部の構成を示す図である。無線通信媒体２６は、アンテナ２６１と、電源部２６２と、制御部２６３と、無線通信部２６４と、を備えている。電源部２６２は、アンテナ２６１と、紙幣処理ユニット１のアンテナ１７ａとの電磁結合により、無線通信媒体２６本体各部の動作電源を得る。
【００４９】
制御部２６３は、無線通信媒体２６本体各部の動作を制御する。また、制御部２６３は、紙幣処理ユニット１本体での使用にかかるデータ等を記憶するメモリ２６３ａを有している。このメモリ２６３ａが、この発明で言う記憶素子に相当する。メモリ２６３ａに記憶する紙幣処理ユニット１本体での使用にかかるデータは、図７に示す紙幣収納データである。この紙幣収納データは、紙幣収納空間２１に収納している紙幣の金種毎の枚数と、合計金額である。
【００５０】
無線通信部２６４は、アンテナ２６１を用いて、紙幣収納カセット２の無線通信部１７との間における無線通信を制御する。
【００５１】
この無線通信媒体２６は、公知の非接触式ＩＣカードや、電池レス無線タグ等と同様の構成である。また、無線通信部２６４は、電源部２６２、制御部２６３、および無線通信部２６４がアンテナ２６１と一体的に構成されていなくてもよい。無線通信媒体２６は、アンテナ２６１が、紙幣処理ユニット１本体側に設けたアンテナ１７ａによる無線通信エリア内に位置させることができ、電源部２６２がアンテナ１７ａ、２６１の電磁結合によって、制御部２６３、および無線通信部２６４の動作電源を得られる構成であればよい。
【００５２】
なお、ここでは、無線通信媒体２６は、所謂電池レスタイプとしているが、電池を有するタイプであってもよい。
【００５３】
次に、この例にかかる紙幣処理ユニット１の動作について説明する。
【００５４】
まず、この紙幣処理ユニット１における紙幣処理について説明する。紙幣処理ユニット１は、紙幣収納カセット２を本体に装着した状態で運用される。利用者は、紙幣を１枚ずつ紙幣投入口１２ｄから投入する。紙幣搬送部１２は、紙幣投入口１２ｄに投入された紙幣を、紙幣搬送路１２ａに沿って搬送する。紙幣識別部１３は、紙幣搬送路１２ａに沿って搬送されている紙幣について、真偽や金種を識別する。紙幣識別部１３で真券であること、または金種が識別できなかった紙幣は、紙幣搬送部１２によって紙幣返却口１２ｅに搬送され、利用者に返却される。
【００５５】
紙幣搬送部１２は、紙幣識別部１３で、真券であること、およびその金種が識別できた紙幣を紙幣搬送路１２ａに沿って搬送する。紙幣搬送部１２は、紙幣を紙幣搬送路１２ｂに保留していなければ、紙幣識別部１３で、真券であること、およびその金種が識別できた紙幣の後端が分岐点Ａを過ぎると、紙幣の搬送方向を逆転させるとともに、分岐点Ａに設けたフラッパを制御して、紙幣搬送路１２ｂに搬送する。紙幣搬送部１２は、紙幣全体が分岐点Ａよりも紙幣搬送路１２ｂ側に達すると、紙幣搬送路１２ｂにおける紙幣の搬送を停止する。これにより、紙幣処理ユニット１は、紙幣を紙幣搬送路１２ｂに保留する。
【００５６】
一方で、紙幣搬送部１２は、紙幣識別部１３で真券であること、およびその金種が識別できた紙幣を紙幣搬送路１２ａに沿って搬送している時点において、紙幣を紙幣搬送路１２ｂに保留していれば、紙幣搬送路１２ｂに保留している全ての紙幣を分岐点Ａ側に搬送する。具体的には、紙幣搬送部１２は、紙幣搬送路１２ｂに保留していた紙幣の先端と、紙幣搬送路１２ａに沿って搬送している紙幣の先端と、が分岐点Ａで重なるように搬送する。すなわち、紙幣搬送部１２は、紙幣搬送路１２ｂに保留していた紙幣と、紙幣識別部１３で真券であること、およびその金種が識別できた紙幣を分岐点Ａで重ね、紙幣返却口１２ｅ側に搬送する。紙幣搬送部１２は、分岐点Ａで重ねた紙幣の後端が分岐点Ａを過ぎると、紙幣の搬送方向を逆転させるとともに、分岐点Ａに設けたフラッパを制御して、紙幣搬送路１２ｂに搬送する。紙幣搬送部１２は、紙幣全体が分岐点Ａよりも紙幣搬送路１２ｂ側に達すると、紙幣搬送路１２ｂにおける紙幣の搬送を停止する。これにより、紙幣処理ユニット１は、紙幣を紙幣搬送路１２ｂに保留する。また、上記の説明から明らかなように、紙幣搬送路１２ｂでは、複数枚の紙幣を重ねた状態で保留する。
【００５７】
また、紙幣処理ユニット１は、紙幣識別部１３で、真券であること、およびその金種が識別できた紙幣（紙幣搬送路１２ｂに保留している紙幣）について、金種毎の枚数を記憶する。
【００５８】
紙幣処理ユニット１は、上位装置（この例では自動券売機）から発券中止、または発券完了が上位入出力部１４に入力される。紙幣処理ユニット１は、上位装置から発券中止が上位入出力部１４に入力されると、紙幣搬送路１２ｂに保留している紙幣を紙幣返却口１２ｅに搬送する。このとき、複数枚の紙幣を紙幣搬送路１２ｂに重ねて保留していれば、この複数枚の紙幣を重ねた状態で紙幣返却口１２ｅに搬送し、利用者に返却する。
【００５９】
一方、紙幣処理ユニット１は、上位装置から発券完了が上位入出力部１４に入力されると、紙幣搬送路１２ｂに保留している紙幣を分岐点Ｂを経由して紙幣収納カセット２側に搬送する。このとき、複数枚の紙幣を紙幣搬送路１２ｂに重ねて保留していれば、この複数枚の紙幣を重ねた状態で紙幣搬送路１２ｃに沿って搬送する。
【００６０】
次に、紙幣収納カセット２に搬送した紙幣を紙幣収納カセット２の紙幣収納空間２１に収納する動作について説明する。紙幣搬送路１２ｃに沿って搬送された紙幣は、紙幣進入口２３から紙幣収納カセット２内に入る。このとき、押込部材２５は、図５（Ａ）に示す状態である。紙幣収納カセット２内に入った紙幣は、通過口２２１を通って、紙幣受け部２２内に送られる。
【００６１】
このとき、紙幣処理ユニット１は、羽根車２４を回転させている。紙幣受け部２２内に送っている紙幣の後端は、羽根車２４によって紙幣受け部２２側に押し出される。したがって、紙幣進入口２３を通過して紙幣収納カセット２内に進入した紙幣を、ほぼ確実に紙幣受け部２２内に収納できる。
【００６２】
また、紙幣受け部２２は、通過口２２１が対向する側の形状を壁面２２２にしているので、羽根車２４によって紙幣受け部２２側に押し出された紙幣は、壁面２２２側に位置する端部が、壁面２２２に当たって、紙幣受け部２２に積み重なる。したがって、紙幣受け部２２内に送った紙幣は、紙幣搬送方向のばらつきを抑え、この紙幣受け部２２内に積み重ねることができる。
【００６３】
紙幣処理ユニット１は、紙幣受け部２２内への紙幣の送りが完了すると、紙幣押込部１５が押込部材２５を図５（Ｂ）に示す状態に移行させ、紙幣受け部２２内の紙幣を紙幣収納空間２１に収納する。紙幣処理ユニット１の紙幣押込部１５は、紙幣押込部１５を図５（Ａ）に示す状態から、図５（Ｂ）に示す状態に移行させ、その後、図５（Ａ）に示す状態に戻す。紙幣受け部２２内の紙幣は、屈曲して開口面２２３を通過し、紙幣収納空間２１に入る。
【００６４】
これにより、利用者が紙幣投入口１２ｄに投入した紙幣は、紙幣収納空間２１の底板２１１の上に堆積する。
【００６５】
また、紙幣処理ユニット１は、上述したように、紙幣識別部１３で各紙幣の真偽や金種を識別しているので、今回紙幣収納空間２１に収納した紙幣について、金種毎の枚数を得ている。紙幣処理ユニット１は、無線通信部１７が、紙幣収納カセット２の無線通信媒体２６に対して、今回紙幣収納空間２１に収納した紙幣について、金種毎の枚数を無線で送信する。
【００６６】
無線通信媒体２６は、制御部２６３のメモリ２６３ａに記憶している紙幣収納データを更新する。具体的には、無線通信媒体２６は、紙幣処理ユニット１の無線通信部１７から送信されてきた、今回紙幣収納空間２１に収納した紙幣にかかる金種毎の枚数に基づき、メモリ２６３ａに記憶している紙幣収納データを更新する。具体的には、今回紙幣収納空間２１に収納した紙幣にかかる金種毎の枚数に基づき、紙幣収納データにかかる金種毎の枚数、および合計金額を更新する。これにより、紙幣収納カセット２の無線通信媒体２６のメモリ２６３ａにおいて、紙幣収納空間２１に収納している紙幣の金種毎の枚数、および合計金額を管理することができる。
【００６７】
また、紙幣処理ユニット１は、満状態検知部１６が紙幣収納空間２１が堆積している紙幣で一杯になった満状態になったことを検知すると、上位入出力部１４からその旨を上位装置に通知する、上位装置は、この通知にしたがって、紙幣収納カセット２の交換を促すメッセージの出力や、上位装置本体の運用（券売処理）の停止等を行う。
【００６８】
紙幣収納空間２１に収納している紙幣の枚数が増加するにつれて、底板２１１が下方に下がる。この底板２１１とともに、プリズム２１３も下方に下がる。そして、このプリズム２１３が開口部２１４、２ａに対向する位置に達すると、光学センサ１６ａがプリズム２１３で反射された反射光を検知する。満状態検知部１６は、光学センサ１６ａが反射光を検知すると、紙幣収納空間２１が堆積している紙幣で一杯になった満状態であると判断する。
【００６９】
上述したように、ここで言う満状態とは、紙幣収納空間２１に収納している紙幣の収納量が、紙幣収納空間２１における紙幣の最大収納量の８〜９割程度を超える状態であり、紙幣収納空間２１に対して若干の紙幣を追加収納できる状態も含む。すなわち、ここで言う満状態とは、紙幣収納空間２１に対して紙幣を追加収納できない状態のみを指しているわけではない。
【００７０】
なお、プリズム２１３は、開口部２１４、２ａに対向する位置に配置しておき、底板２１１によって開口部２１４、２ａに対向する位置から下方に押し下げられる構成としてもよい。この場合、満状態検知部１６は、光学センサ１６ａが反射光を検知しない状態になると、紙幣収納空間２１に堆積している紙幣で一杯になった満状態になったと判断する。
【００７１】
また、上記の例では、紙幣収納空間２１における紙幣の最大収納量の８〜９割程度を超える状態を光学センサ１６ａで検出するとしたが、例えば底板２１１が変位する方向に、複数の光学センサを並べ、紙幣収納空間２１における紙幣の最大収納量の６〜７割程度を超える状態を追加的に検出できる構成としてもよいし、紙幣収納空間２１に対して紙幣を追加収納できない状態を追加的に検出できる構成としてもよい。底板２１１が変位する方向に並べる光学センサの個数や、各光学センサが検出する底板２１１の位置（紙幣収納空間２１における紙幣の最大収納量に対する、実際に収納している紙幣量の割合）については、紙幣処理ユニット１の運用に応じて定めればよい。
【００７２】
このように、この例にかかる紙幣処理ユニット１は、本体に装着する紙幣収納カセット２を有接点で接続しないので、接点の劣化にともなう運用コストの増大や、運用効率の低下をまねくことがない。すなわち、運用コストを低減できるとともに、運用効率の向上を図ることができる、
また、紙幣受け部２２に紙幣を投入する羽根車２４の回転駆動、紙幣受け部２２に入っている紙幣を紙幣収納空間に押し込む押込部材２５の駆動、紙幣収納空間２１の満状態を検知する光学センサ１６ａの駆動を、紙幣処理ユニット１本体側で行う構成であるので、紙幣収納カセット２側にバッテリ等を設ける必要がない。このため、紙幣収納カセット２が大型化することもない。
【００７３】
さらに、紙幣処理ユニット１と、紙幣収納カセット２と、を接点で接続しないので、従来のように、紙幣処理ユニット１本体に対する紙幣収納カセット２の着脱方向が、接点の接続にかかる方向（コネクタの接続方向）に制限されない。したがって、紙幣処理ユニット１本体の設計の自由度をあげることができる。例えば、紙幣処理ユニット１本体に対する、紙幣収納カセット２の装着方向を左右方向や正面方向にできる。
【００７４】
なお、紙幣処理ユニット１本体からの紙幣収納カセット２の取り外し方向は、装着方向の反対方向である。
【符号の説明】
【００７５】
１…紙幣処理ユニット
２…紙幣収納カセット
２ａ…開口部
１１…制御部
１２…紙幣搬送部
１２ａ…紙幣搬送路
１２ｂ…紙幣搬送路
１２ｃ…紙幣搬送路
１２ｄ…紙幣投入口
１２ｅ…紙幣返却口
１３…紙幣識別部
１４…上位入出力部
１５…紙幣押込部
１５ａ…押込棒
１６…満状態検知部
１６ａ…光学センサ
１７…無線通信部
１７ａ…アンテナ
２１…紙幣収納空間
２２…紙幣受け部
２３…紙幣進入口
２４…羽根車
２５…押込部材
２６…無線通信媒体
２１１…底板
２１２…バネ
２１３…プリズム
２１４…開口部
２２１…通過口
２２２…壁面
２２３…開口面
２６１…アンテナ
２６２…電源部
２６３…制御部
２６３ａ…メモリ
２６４…無線通信部
【図１】
2015228108.tif 000003
【図２】
2015228108.tif 000004
【図３】
2015228108.tif 000005
【図４】
2015228108.tif 000006
【図５】
2015228108.tif 000007
【図６】
2015228108.tif 000008
【図７】
2015228108.tif 000009